(57)【要約】【課題】映像信号処理回路よりもクロック周波数の遅いＯＳＤコントローラを用いても、文字や図形を視認性を損なうことなく表示できるようにする。【解決手段】ＯＳＤ回路はオンスクリーン表示に用いるオンスクリーンデータを出力するオンスクリーン制御回路と、オンスクリーンデータを記憶するラインメモリと、映像信号処理回路のクロック周波数と、オンスクリーン制御回路のクロック周波数との比率に応じて映像信号処理回路に入力するクロック信号を分周してオンスクリーン制御回路に出力する分周回路と、映像信号処理回路のクロック信号に応じてラインメモリからオンスクリーンデータを読み出し映像出力信号に重畳する重畳回路とを有する。【選択図】図１
2009267940.tif 000002
【特許請求の範囲】
【請求項１】
オンスクリーン表示に用いるオンスクリーンデータを出力するオンスクリーン制御回路と、
該オンスクリーン制御回路から出力される前記オンスクリーンデータを記憶するラインメモリと、
入力信号についての信号処理を行って映像出力信号を出力する映像信号処理回路のクロック周波数と、前記オンスクリーン制御回路のクロック周波数との比率に応じて前記映像信号処理回路に入力するクロック信号を分周して前記オンスクリーン制御回路に出力する分周回路と、
前記映像信号処理回路のクロック信号に応じて前記ラインメモリから前記オンスクリーンデータを読み出し前記映像出力信号に重畳する重畳回路とを有することを特徴とするオンスクリーンディスプレイ回路。
【請求項２】
オンスクリーン表示に用いるオンスクリーンデータを出力するオンスクリーン制御回路と、
該オンスクリーン制御回路から出力される前記オンスクリーンデータを記憶するラインメモリと、
入力信号についての信号処理を行って映像出力信号を出力する映像信号処理回路のクロック周波数と、前記オンスクリーン制御回路のクロック周波数との比率に応じて前記映像信号処理回路に入力するクロック信号を分周して前記オンスクリーン制御回路に出力する分周回路と、
前記映像信号処理回路のクロック周波数の、前記オンスクリーン制御回路のクロック周波数に対する倍率に応じた読み飛ばしを行い前記ラインメモリから前記オンスクリーンデータを読み出し前記映像出力信号に重畳する重畳回路とを有することを特徴とするオンスクリーンディスプレイ回路。
【請求項３】
前記映像信号処理回路に供給される同期信号と同じ同期信号が前記オンスクリーン制御回路に供給されるように構成されていることを特徴とする請求項１記載のオンスクリーンディスプレイ回路。
【請求項４】
前記ラインメモリは、複数のメモリユニットによって構成されていることを特徴とする請求項２記載のオンスクリーンディスプレイ回路。
【請求項５】
前記分周回路は、前記映像信号処理回路のクロック周波数に対する前記オンスクリーン制御回路のクロック周波数の比率に応じて前記映像信号処理回路に入力するクロック信号を分周することを特徴とする請求項１記載のオンスクリーンディスプレイ回路。
【請求項６】
入力信号についての信号処理を行って映像出力信号を出力する映像信号処理回路と、
オンスクリーン表示に用いるオンスクリーンデータを出力するオンスクリーン制御回路と、
該オンスクリーン制御回路から出力される前記オンスクリーンデータを記憶するラインメモリと、
前記映像信号処理回路のクロック周波数と、前記オンスクリーン制御回路のクロック周波数との比率に応じて前記映像信号処理回路に入力するクロック信号を分周して前記オンスクリーン制御回路に出力する分周回路と、
前記映像信号処理回路のクロック信号に応じて前記ラインメモリから前記オンスクリーンデータを読み出し前記映像出力信号に重畳する重畳回路とを有することを特徴とする映像信号処理装置。
【請求項７】
入力信号についての信号処理を行って映像出力信号を出力する映像信号処理回路と、
オンスクリーン表示に用いるオンスクリーンデータを出力するオンスクリーン制御回路と、
該オンスクリーン制御回路から出力される前記オンスクリーンデータを記憶するラインメモリと、
前記映像信号処理回路のクロック周波数と、前記オンスクリーン制御回路のクロック周波数との比率に応じて前記映像信号処理回路に入力するクロック信号を分周して前記オンスクリーン制御回路に出力する分周回路と、
前記映像信号処理回路のクロック周波数の、前記オンスクリーン制御回路のクロック周波数に対する倍率に応じた読み飛ばしを行い前記ラインメモリから前記オンスクリーンデータを読み出し前記映像出力信号に重畳する重畳回路とを有することを特徴とする映像信号処理装置。
【発明の詳細な説明】
【技術分野】
【０００１】
本発明は、映像に文字、図形などを重畳して表示させるオンスクリーンディスプレイ回路およびそれを備えた映像信号処理装置に関する。
【背景技術】
【０００２】
従来、映像に文字、図形などを重畳して表示させるオンスクリーンディスプレイ回路（以下「ＯＳＤ回路」という）が知られている。ＯＳＤ回路に関して、例えば、特許文献１には、動的表示をビットマップＯＳＤより小さな容量のメモリで実現できるようにしたＯＳＤ回路が開示されている。
【特許文献１】特開平１１−４５０８１号公報
【発明の開示】
【発明が解決しようとする課題】
【０００３】
ところで、近年、センサの多画素化や高フレームレート化によって、ビデオカメラやデジタルカメラといったカメラ装置の映像出力信号は高解像度となり、周波数帯域が高くなる傾向にある。また、映像信号処理装置を有するテレビジョン受像機やＤＶＤプレーヤといった装置についても、映像信号の高フレームレート化などに伴い、映像出力信号が高解像度となり、周波数帯域が高くなる傾向にある。また、これらの映像信号処理装置の高機能化に伴い、ＯＳＤ回路は画角（画素）変換ＩＣの付加機能として備わっているか、ヒューマンインタフェース情報を表示するためのグラフィックコントロールＩＣとして搭載されていることがある。
【０００４】
しかし、ＯＳＤ信号を出力するＯＳＤコントローラを汎用的なマイクロコンピュータや信号処理回路で構成する場合において、ＯＳＤコントローラのクロック周波数が映像信号処理回路よりも遅い場合は、文字や図形の情報を画面に表示しきれない等、文字や図形の視認性が損われるという課題があった。
【０００５】
そこで、本発明は上記課題を解決するためになされたもので、映像信号処理回路よりもクロック周波数の遅いＯＳＤコントローラを用いても、文字や図形を視認性を損なうことなく表示できるようにしたＯＳＤ回路および映像信号処理装置を提供することを目的とする。
【課題を解決するための手段】
【０００６】
上記課題を解決するため、本発明はオンスクリーン表示に用いるオンスクリーンデータを出力するオンスクリーン制御回路と、そのオンスクリーン制御回路から出力されるオンスクリーンデータを記憶するラインメモリと、入力信号についての信号処理を行って映像出力信号を出力する映像信号処理回路のクロック周波数と、オンスクリーン制御回路のクロック周波数との比率に応じて映像信号処理回路に入力するクロック信号を分周してオンスクリーン制御回路に出力する分周回路と、映像信号処理回路のクロック信号に応じてラインメモリからオンスクリーンデータを読み出し映像出力信号に重畳する重畳回路とを有するオンスクリーンディスプレイ回路を特徴とする。
【０００７】
また、本発明は、オンスクリーン表示に用いるオンスクリーンデータを出力するオンスクリーン制御回路と、オンスクリーン制御回路から出力されるオンスクリーンデータを記憶するラインメモリと、入力信号についての信号処理を行って映像出力信号を出力する映像信号処理回路のクロック周波数と、オンスクリーン制御回路のクロック周波数との比率に応じて映像信号処理回路に入力するクロック信号を分周してオンスクリーン制御回路に出力する分周回路と、映像信号処理回路のクロック周波数の、オンスクリーン制御回路のクロック周波数に対する倍率に応じた読み飛ばしを行いラインメモリからオンスクリーンデータを読み出し映像出力信号に重畳する重畳回路とを有するオンスクリーンディスプレイ回路を提供する。
【０００８】
そして、本発明は、入力信号についての信号処理を行って映像出力信号を出力する映像信号処理回路と、オンスクリーン表示に用いるオンスクリーンデータを出力するオンスクリーン制御回路と、そのオンスクリーン制御回路から出力されるオンスクリーンデータを記憶するラインメモリと、映像信号処理回路のクロック周波数と、オンスクリーン制御回路のクロック周波数との比率に応じて映像信号処理回路に入力するクロック信号を分周してオンスクリーン制御回路に出力する分周回路と、映像信号処理回路のクロック信号に応じてラインメモリからオンスクリーンデータを読み出し映像出力信号に重畳する重畳回路とを有する映像信号処理装置を提供する。
【０００９】
さらに、本発明は、オンスクリーン表示に用いるオンスクリーンデータを出力するオンスクリーン制御回路と、そのオンスクリーン制御回路から出力されるオンスクリーンデータを記憶するラインメモリと、映像信号処理回路のクロック周波数と、オンスクリーン制御回路のクロック周波数との比率に応じて映像信号処理回路に入力するクロック信号を分周してオンスクリーン制御回路に出力する分周回路と、映像信号処理回路のクロック周波数の、オンスクリーン制御回路のクロック周波数に対する倍率に応じた読み飛ばしを行いラインメモリからオンスクリーンデータを読み出し映像出力信号に重畳する重畳回路とを有する映像信号処理装置を提供する。
【発明の効果】
【００１０】
以上詳述したように、本発明によれば、映像信号処理回路よりもクロック周波数の遅いＯＳＤコントローラを用いても、文字や図形を視認性を損なうことなく表示できるようにしたＯＳＤ回路および映像信号処理装置が得られる。
【発明を実施するための最良の形態】
【００１１】
以下、本発明の実施の形態について説明する。なお、同一要素には同一符号を用い、重複する説明は省略する。
【００１２】
（第１の実施形態）
図１は本発明の第１の実施形態に係る映像信号処理装置１の主要な構成を示すブロック図である。映像信号処理装置１は、主に動画を撮影するビデオカメラ装置に搭載されている。
【００１３】
映像信号処理装置１は、信号処理回路２とＯＳＤ回路１０とを有している。信号処理回路２は、図示しないタイミングジェネレータから出力されるクロック信号（ＣＬＫ）、ＨＤ信号（水平同期信号、Ｈｓｙｎｃ）およびＶＤ信号（垂直同期信号、Ｖｓｙｎｃ）にしたがってＲＧＢ形式の撮像信号について所定の信号処理（例えばγ補正など）を行い、図示しない表示装置で映像を表示するための映像出力信号ＶｇをＯＳＤ回路１０の後述する文字重畳回路６に出力する。また、信号処理回路２は、クロック信号（ＣＬＫ）をＯＳＤ回路１０の後述する分周回路４に出力するとともに、クロック信号（ＣＬＫ）、ＨＤ信号（水平同期信号）およびＶＤ信号（垂直同期信号）を文字重畳回路６に出力する。ＨＤ信号は映像出力信号Ｖｇの水平方向の区切り、ＶＤ信号（垂直同期信号）は映像出力信号Ｖｇの１画面分の区切りを示している。
【００１４】
ＯＳＤ回路１０は、ＯＳＤコントローラ３と、分周回路４と、ラインメモリ５と、文字重畳回路６とを有している。
【００１５】
ＯＳＤコントローラ３は、決められたクロック周波数にしたがい作動するＩＣ（集積回路）によって構成されている。ＯＳＤコントローラ３は、映像出力信号Ｖｇに重畳して表示するオンスクリーン表示に用いる文字、図形、記号等を含むオンスクリーンデータをＭＰＵ５０の制御にしたがって生成し、その生成したオンスクリーンデータをＳＥＬＥＣＴ信号（オンスクリーンデータを表示するか映像出力信号Ｖｇをスルーするかを選択する信号）として出力する。ＳＥＬＥＣＴ信号は、オンスクリーンデータを映像出力信号Ｖｇに重畳するか否かをＯＮ／ＯＦＦ（複数の信号であれば色情報を含むこともある）によって切り替えることができる。
【００１６】
また、ＯＳＤコントローラ３には、信号処理回路２と同じＨＤ信号（水平同期信号）およびＶＤ信号（垂直同期信号）と、分周回路４で分周された後述する分周クロック信号（１／ｎ  ＣＬＫ）とが入力される。ＯＳＤコントローラ３は、分周クロック信号（１／ｎ  ＣＬＫ）にしたがいＳＥＬＥＣＴ信号をラインメモリ５に記憶させる。なお、ＨＤ信号（水平同期信号）およびＶＤ信号（垂直同期信号）は、映像出力信号に対するオンスクリーンデータの表示領域の開始位置を決めるものであるから、信号処理回路２と同じ信号が供給される。
【００１７】
分周回路４は、信号処理回路２のクロック周波数と、ＯＳＤコントローラ３のクロック周波数との相違に基づき、信号処理回路２に入力されるクロック信号（ＣＬＫ）を分周して、分周クロック信号（１／ｎ  ＣＬＫ）をＯＳＤコントローラ３とラインメモリ５とに出力する。
【００１８】
分周回路４は、信号処理回路２のクロック信号（ＣＬＫ）に対するＯＳＤコントローラ３のクロック周波数の比率が１／ｎのときに、その比率１／ｎに応じてクロック信号（ＣＬＫ）を分周した分周クロック信号（１／ｎ  ＣＬＫ）をＯＳＤコントローラ３とラインメモリ５に供給する。なお、ｎは信号処理回路２のクロック周波数の、ＯＳＤコントローラ３のクロック周波数に対する倍率を示している。
【００１９】
ラインメモリ５は、ＯＳＤコントローラ３と文字重畳回路６との間に設けられている。ラインメモリ５は１ラインのドット数×ｎの記憶容量を有したＦＩＦＯメモリであって、書き込みと読み出しを異なるクロック周波数で行うことが可能な構成を有している。ラインメモリ５は、分周回路４から出力される分周クロック信号（１／ｎ  ＣＬＫ）に応じてＯＳＤコントローラ３から出力されるＳＥＬＥＣＴ信号がサンプリングして記憶される。ラインメモリ５は、信号処理回路２のクロック周波数（ＣＬＫ）に対して１／ｎのサイクルで、ＯＳＤコントローラ３から出力されるＳＥＬＥＣＴ信号を記憶する。
【００２０】
文字重畳回路６は、信号処理回路２から出力されるクロック信号（ＣＬＫ）に応じてラインメモリ５からデータの読み出しを行い、映像出力信号Ｖｇにオンスクリーンデータを重畳して出力する。
【００２１】
そして、以上の構成を有する映像信号処理装置１では、信号処理回路２がクロック信号（ＣＬＫ）、ＨＤ信号（水平同期信号）およびＶＤ信号（垂直同期信号）を入力して、ＲＧＢ形式の撮像信号について所定の信号処理を行い、映像出力信号Ｖｇを出力する。
【００２２】
一方、ＯＳＤ回路１０では、信号処理回路２から出力されるクロック信号（ＣＬＫ）を分周回路４が分周して分周クロック信号１／ｎ  ＣＬＫを出力する。この場合、例えば、信号処理回路２に入力されるクロック信号（ＣＬＫ）の周波数（クロック周波数）が１５０ＭＨｚであるのに対し、ＯＳＤコントローラ３のクロック周波数は１５ＭＨｚであるときは、前者に対する後者の比である１／１０で分周した分周クロック信号（１／ｎ  ＣＬＫ）を分周回路４が出力する。
【００２３】
したがって、ＯＳＤコントローラ３は、ＨＤ信号（水平同期信号）およびＶＤ信号（垂直同期信号）を基準にして、信号処理回路２の１／１０の速度でオンスクリーンデータを生成し、その生成したオンスクリーンデータをＳＥＬＥＣＴ信号として、信号処理回路２の１／１０のサイクルでラインメモリ５に記憶させる。
【００２４】
一方、文字重畳回路６では、１ライン遅れて、すなわち、オンスクリーンデータが１ライン分、ラインメモリ５に記憶されるのを待って、クロック信号（ＣＬＫ）に応じてラインメモリ５からデータを読み出し、読み出したデータのＯＮ，ＯＦＦに応じ、映像出力信号Ｖｇにオンスクリーンデータを重畳するか映像出力信号Ｖｇをスルーするかを切り替えて出力する。
【００２５】
ここで、図４は本発明に関連する映像信号処理装置１０１の構成を示すブロック図である。映像信号処理装置１０１は、ＯＳＤ回路１００を有する点で映像信号処理装置１と相違している。ＯＳＤ回路１００は、ＯＳＤ回路１０と比較して、ＯＳＤコントローラ５３を有する点と、分周回路４およびラインメモリ５を有しない点とで相違している。ＯＳＤコントローラ５３は、ＭＰＵ５０の制御にしたがい生成したオンスクリーンデータをＳＥＬＥＣＴ信号として、信号処理回路２と同じクロック信号（ＣＬＫ）にしたがって文字重畳回路６に出力する。
【００２６】
ところで、前述したＯＳＤ回路１０やＯＳＤ回路１００のように、映像に重畳するオンスクリーン表示によって文字、図形、記号等を表示してメニュー表示等を行い、様々な設定や操作を行えるようにする機能がユーザインタフェースのひとつとして、ビデオカメラ装置やテレビジョン受像機、ＤＶＤプレーヤといった数多くの装置に採用されている。これらはテレビジョン受像機を代表とする映像表示装置の高機能化に伴い、多彩で滑らかな文字表示が求められており、それに伴いオンスクリーン機能そのものが高機能化している。また、高解像度で映像表示を行う装置の登場により、画素（画角）変換処理を行う信号処理回路が多機能化しており、これに併せてオンスクリーン表示機能を実現するためのＩＣが信号処理回路に組み込まれていることもある。
【００２７】
一方、オンスクリーン表示機能だけの単機能ＩＣ（ＯＳＤコントローラ）もあり、これを用いれば映像信号処理装置を安価に構成できる上に、ＯＳＤコントローラの選択肢が増えるため、多様な回路構成を実現できる。
【００２８】
しかし、このＯＳＤコントローラが画像を出力できる表示領域は、一般に映像出力信号よりも解像度が低く、しかもクロック周波数が映像信号処理用のＩＣ（集積回路）に比べて低いため、ＯＳＤコントローラでは、高速な映像信号に対応できないし、表示した文字、図形等の視認性低下を招くという課題がある。
【００２９】
例えば、オンスクリーンデータの表示領域（ＯＳＤ領域）６１は、例えば１２×１８ドットで構成される文字が３０桁１６行程度で表示されるので、ドット数（画素数）でみると３６０×２８８ドット程度であり、図５（ａ）に示すように映像表示領域６０の左上に確保される。この場合、従来のオンスクリーン制御用ＩＣ（ＯＳＤコントローラ）のクロック周波数（ドット表示を行うためのクロック周波数）は１５ＭＨｚ程度である。
【００３０】
これに対し、映像出力信号が１フレームあたり１９２０×１０８０の画素数で毎秒６０フレームで出力されるときは、映像出力信号のクロック周波数は約１５０ＭＨｚにもなってしまう。そうすると、従来のオンスクリーン制御用ＩＣ（ＯＳＤコントローラ）を用い、水平同期信号にあわせて文字、図形等のオンスクリーンデータを出力するとした場合、オンスクリーン制御用ＩＣ（ＯＳＤコントローラ）のクロック周波数は映像出力信号のクロック周波数に対して約１／１０になってしまう。
【００３１】
そのため、映像信号処理装置１０１の場合、本来であれば、３６０×２８８ドット表示されるＯＳＤ領域６１は３６００ドットとなり、図５（ｂ）に示すように、横方向に約１０倍伸びて桁数が半分の１５桁程度しか画面上に表示されないようなＯＳＤ領域７１になってしまう。また、ＯＳＤ領域６１にはＰ１で示す部分に“ＡＢＣ”の文字が視認性良く表示されたところ、ＯＳＤ領域７１には、Ｐ２で示す部分に横方向に約１０倍伸びた上下に潰れた“ＡＢＣ”の文字が表示されてしまい、オンスクリーンデータの視認性が著しく低下してしまう。
【００３２】
これに対し、本実施の形態に係る映像信号処理装置１は、ＯＳＤ回路１０を有するため、前述した映像信号処理装置１０１のような不都合が生じないようになっている。なお、本実施の形態では、映像出力信号Ｖｇの１ラインよりも、オンスクリーンデータの１ライン×ｎが小さいことを想定している。
【００３３】
前述したとおり、ＯＳＤ回路１０は、分周回路４によって分周した分周クロック信号（１／ｎ  ＣＬＫ）をＯＳＤコントローラ３に供給し、ＯＳＤコントローラ３が分周クロック信号（１／ｎ  ＣＬＫ）にしたがい、信号処理回路２の１／ｎのサイクルでＳＥＬＥＣＴ信号をラインメモリ５に記憶させている。また、文字重畳回路６では、オンスクリーンデータが１ライン分、ラインメモリ５に記憶されるのを待って、クロック信号（ＣＬＫ）に応じてラインメモリ５からデータを読み出し、その読み出したデータのＯＮ，ＯＦＦに応じてオンスクリーンデータを重畳するか否かを切り替えて映像出力信号Ｖｇを出力する。
【００３４】
ＯＳＤ回路１０の場合、信号処理回路２と文字重畳回路６は、クロック信号（ＣＬＫ）に応じて動作を行うが、分周回路４によって分周した分周クロック信号（１／ｎ  ＣＬＫ）がＯＳＤコントローラ３に供給されるので、ＯＳＤコントローラ３は、自己の動作速度に適合した信号処理回路２の１／ｎのサイクルでＳＥＬＥＣＴ信号を出力してラインメモリ５に記憶させる。そのため、ＯＳＤコントローラ３の動作速度に適合したタイミングでＳＥＬＥＣＴ信号が出力されることになり、文字重畳回路６がラインメモリ５からのデータの読み出しを行っても、ＯＳＤコントローラ３の動作速度に適合したサイクルでＳＥＬＥＣＴ信号を読み出すことができ、文字重畳回路６がオンスクリーンデータを間延びさせずに重畳することができる。
【００３５】
このように、分周回路４およびラインメモリ５を設けたことによって、信号処理回路２とＯＳＤコントローラ３のクロック周波数の相違が吸収されることとなり、図５（ａ）に示すようにして、横方向に伸びることなくＯＳＤ領域６１が形成され、そのＰ１で示す部分に潰れることなく視認性良好な形で“ＡＢＣ”の文字が表示されることとなる。
【００３６】
このように、ＯＳＤ回路１０では、ＯＳＤコントローラ３のクロック周波数が信号処理回路２のクロック周波数より遅くても、視認性を損なうことなく文字、図形等を含むオンスクリーンデータを重畳して表示できる。そのため、ＯＳＤコントローラ３の適用範囲が拡大し、回路の集積度を高めて基板の実装面積縮小を実現することもできる。
【００３７】
また、高価で、高機能の多彩なグラフィック制御機能を備えた信号処理回路を保有しない装置についても、前述のようなラインメモリと、分周回路を併有することにより、映像出力信号が高解像度であっても、単機能のオンスクリーン制御用ＩＣを用いて視認性を損なうことなく文字表示機能を実現することができる。
【００３８】
さらに、ディジタルディスプレイ用の高い周波数に対応したオンスクリーン制御用ＩＣを用いることなく、汎用的なオンスクリーン制御用ＩＣを用いることができるため、適切かつ安価なオンスクリーン制御用ＩＣを選択でき、多様な回路構成を実現できる。
【００３９】
（第２の実施形態）
次に、本発明の第２の実施形態に係る映像信号処理装置２１について説明する。映像信号処理装置２１は映像信号処理装置１と比べてＯＳＤ回路１０の代わりにＯＳＤ回路２０を有する点で相違している。ＯＳＤ回路２０はＯＳＤ回路１０と比べてラインメモリ５の代わりにラインメモリ１５を有する点で相違している。
【００４０】
ラインメモリ１５は、１ラインのドット数×ｎの記憶容量を有している。また、ラインメモリ１５は、ＯＳＤコントローラ３から分周クロック信号（１／ｎ  ＣＬＫ）したがい、１／ｎの速度で出力されるＳＥＬＥＣＴ信号が、クロック信号（ＣＬＫ）に応じたサイクル（すなわち、ＯＳＤコントローラ３からのＳＥＬＥＣＴ信号の出力タイミングのｎ倍の速度）でサンプリングして記憶される。
【００４１】
そして、ＯＳＤ回路２０では、ＯＳＤコントローラ３から１ライン分のデータが出力された後、文字重畳回路６は、ラインメモリ１５からクロック信号（ＣＬＫ）に応じたサイクルで、信号処理回路２のクロック周波数の、ＯＳＤコントローラ３のクロック周波数に対する倍率に応じたデータの読み飛ばしを行い、すなわち、ｎドット分のスキップしたアドレスのデータを読み出し、読み出したデータのＯＮ，ＯＦＦに応じ、映像出力信号Ｖｇにオンスクリーンデータを重畳するか映像出力信号Ｖｇをスルーするかを切り替えて出力する。
【００４２】
このようにしても、文字重畳回路６がラインメモリ５から読み出すデータがＯＳＤコントローラ３の動作速度に適合したサイクルで生成されていることになるので、文字重畳回路６がオンスクリーンデータを間延びさせずに重畳することができる。
【００４３】
（第３の実施形態）
次に、本発明の第３の実施形態に係る映像信号処理装置３１について説明する。映像信号処理装置３１は映像信号処理装置２１と比べてＯＳＤ回路２０の代わりにＯＳＤ回路３０を有する点で相違している。ＯＳＤ回路３０はＯＳＤ回路２０と比べてラインメモリ１５の代わりにラインメモリ１６を有する点で相違している。
【００４４】
前述したＯＳＤ回路１０，２０では、映像出力信号Ｖｇの１ラインよりも、オンスクリーンデータの１ライン×ｎが小さいことを想定している。また、ラインメモリ５，１５は１ライン分のオンスクリーンデータを記憶できるものとしている。しかしながら、実際には、書き込みと読み出しとが同時並行的に行われないように配慮する必要がある。また、映像出力信号Ｖｇの２ラインまたはそれ以上のラインを対象にして倍率ｎを設定することが必要となることもある。
【００４５】
そこで、信号処理回路２のクロック周波数と、ＯＳＤコントローラ３のクロック周波数とに差があり、次のラインにも影響が出る場合は次のラインのオンスクリーンデータがメモリに記憶されるまで文字重畳回路６で、１ライン分のＳＥＬＥＣＴ信号を反復利用する（２度書き）するようにすることができる。
【００４６】
または、映像信号処理装置３１のように、ラインメモリユニット１６ａと、ラインメモリユニット１６ｂとを有するラインメモリ１６を設け、書き込みと読み出しとが同時並行的に行われないようにしてもよい。
【００４７】
さらに、ＯＳＤコントローラ３のクロック周波数と、信号処理回路２のクロック周波数との差や、ＯＳＤコントローラ３の水平解像度によっては、ＯＳＤコントローラ３に入力する水平同期信号についても、表示する桁数に応じて分周してもよい。
【００４８】
以上の各実施形態は、ビデオカメラ装置を例にとって説明しているが、本実施の形態は、カメラ装置以外の例えば、テレビジョン受像機やＤＶＤプレーヤといった装置についても適用することができる。
【００４９】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５０】
【図１】第１の実施形態に係る映像信号処理装置の構成を示すブロックである。
【図２】第２の実施形態に係る映像信号処理装置の構成を示すブロックである。
【図３】第３の実施形態に係る映像信号処理装置の構成を示すブロックである。
【図４】本発明に関連する映像信号処理装置の構成を示すブロックである。
【図５】映像表示領域と、ＯＳＤ領域を示す図で、（ａ）は第１の実施形態に係る映像信号処理装置の場合、（ｂ）は本発明に関連する映像信号処理装置の場合をそれぞれ示す図である。
【符号の説明】
【００５１】
１、２１、３１…映像信号処理装置、２…信号処理回路、３…ＯＳＤコントローラ、４…分周回路、５，１５，１６…ラインメモリ、６…文字重畳回路。
【図１】
2009267940.tif 000003
【図２】
2009267940.tif 000004
【図３】
2009267940.tif 000005
【図４】
2009267940.tif 000006
【図５】
2009267940.tif 000007